(57)【要約】【課題】複数の碍子の絶縁状態を容易に記録可能な記録ボードを提供すること。【解決手段】電線を支持する支持体から前記電線を絶縁した状態で保持する複数の碍子それぞれの絶縁状態を記録する記録ボード１であって、複数の前記碍子の絶縁不良を判定する判定シート１０を配置可能なボード本体２と、ボード本体２に配置された判定シート１０に示される所定の位置に移動可能な複数のプロット部材３と、ボード本体２に設けられ、複数のプロット部材３を移動可能に支持すると共に、前記所定の位置で複数のプロット部材３を固定可能な支持部材４と、を備える。【選択図】図１
2011151963.tif 000002
【特許請求の範囲】
【請求項１】
電線を支持する支持体から前記電線を絶縁した状態で保持する複数の碍子それぞれについての絶縁状態を記録する記録ボードであって、
複数の前記碍子の絶縁不良を判定する判定シートを配置可能なボード本体と、
前記ボード本体に配置された前記判定シートに示される所定の位置に移動可能な複数のプロット部材と、
前記ボード本体に設けられ、複数の前記プロット部材を移動可能に支持すると共に、前記所定の位置で複数の前記プロット部材を固定可能な支持部材と、
を備える記録ボード。
【請求項２】
複数の前記プロット部材は、前記複数の支持部材の配列方向に所定個数毎に、色彩の異なるものが配置される請求項１に記載の記録ボード。
【請求項３】
前記支持部材は、伸縮性を有する糸状に形成される請求項１又は２に記載の記録ボード。
【請求項４】
前記プロット部材は、前記支持部材を挿通可能な挿通孔を有する球状に形成される請求項３に記載の記録ボード。
【発明の詳細な説明】
【技術分野】
【０００１】
本発明は、電線を支持する鉄塔等の支持体から電線を絶縁した状態で保持する複数の碍子について、例えば、分担電圧の分布状況から碍子の絶縁不良を判定するために、複数の碍子の絶縁状態を記録する記録ボードに関する。
【背景技術】
【０００２】
碍子は、発電所、変電所等において、高電圧が印加される電線を鉄塔等の支持体から絶縁して保持するために用いられる。碍子は、台風、季節風等により運ばれる塩分により汚損される場合がある。碍子が塩分によって汚損されると、碍子に付着した塩分に含まれる電解質によって導電路が形成され、導電路において放電が生じたり、漏れ電流が導電路に流れたりするおそれがある。
【０００３】
このような放電や漏れ電流は、ジュール熱や電気化学的な作用を引き起こし、碍子を損傷したり、劣化させる。碍子が損傷したり、劣化すると、碍子の耐電圧性能が低下して、フラッシュオーバー、地絡事故の発生等を招くおそれがある。
そのため、従来より、碍子の損傷や劣化を発見するために、不良碍子検出器を用いて一定期間毎に漏れ電流等を測定して、碍子の絶縁不良の有無等の監視を行っていた。
【０００４】
ところで、碍子は、所定の絶縁レベルに応じて、懸垂碍子のように必要な個数（例えば、２０個以上）を直列に連結して用いる場合がある。複数の碍子を直列に連結したものを「碍子連」ともいう。
このような碍子連に対しては、例えば、音響パルス式の不良碍子検出器を用いて、碍子連を構成する各碍子それぞれの電圧を測定し、この測定結果をグラフ化することにより得られる電圧の分布状況に基づいて、各碍子の損傷、劣化等の判定が行われる（例えば、特許文献１参照）。
【先行技術文献】
【特許文献】
【０００５】
【特許文献１】特開２００６−１９６３８２号公報
【発明の概要】
【発明が解決しようとする課題】
【０００６】
電圧の分布状況に基づいて碍子の損傷や劣化の判定を行う場合には、不良碍子検出器により測定した数値を、作業者がグラフ用紙に記入したり、パソコンのグラフ作成ソフトに入力することによって、グラフを作成する必要がある。そのため、作業者は、グラフ用紙への記入作業や、パソコンへ入力作業等を行わなければならず、手間や時間が掛かるという問題があった。特に、作業者は手袋を着用しながら作業を行うことが多いため、グラフ用紙への記入作業やパソコンへ入力作業は、作業者にとって大変煩雑なものであった。
【０００７】
本発明は、複数の碍子の絶縁状態を容易に記録可能な記録ボードを提供することを目的とする。
【課題を解決するための手段】
【０００８】
本発明は、電線を支持する支持体から前記電線を絶縁した状態で保持する複数の碍子それぞれについての絶縁状態を記録する記録ボードであって、複数の前記碍子の絶縁不良を判定する判定シートを配置可能なボード本体と、前記ボード本体に配置された前記判定シートに示される所定の位置に移動可能な複数のプロット部材と、前記ボード本体に設けられ、複数の前記プロット部材を移動可能に支持すると共に、前記所定の位置で複数の前記プロット部材を固定可能な支持部材と、を備える記録ボードに関する。
【０００９】
また、複数の前記プロット部材は、前記複数の支持部材の配列方向に所定個数毎に、色彩の異なるものが配置されることが好ましい。
【００１０】
また、前記支持部材は、伸縮性を有する糸状に形成されることが好ましい。
【００１１】
また、前記プロット部材は、前記支持部材を挿通可能な挿通孔を有する球状に形成されることが好ましい。
【発明の効果】
【００１２】
本発明によれば、複数の碍子の絶縁状態を容易に記録可能な記録ボードを提供することができる。
【図面の簡単な説明】
【００１３】
【図１】本発明の実施形態に係る記録ボードを示す正面図である。
【発明を実施するための形態】
【００１４】
以下、本発明の実施形態に係る記録ボード１について図面を参照しながら説明する。
本発明の実施形態に係る記録ボード１は、電線を支持する鉄塔等の支持体から電線を絶縁して保持する碍子連を構成する複数（本実施形態においては２５個）の碍子（図示せず）の絶縁不良を判定するために、複数の碍子の絶縁状態（分担電圧分布状態）を記録するために用いられるものである。「碍子連」は、複数の碍子を直列に連結したものである。
【００１５】
以下、本発明の実施形態に係る記録ボード１について詳細に説明する。図１は、本発明の実施形態に係る記録ボード１を示す正面図である。
図１に示すように、本実施形態に係る記録ボード１は、碍子連の絶縁不良を判定する判定シート１０を配置するボード本体２と、プロット部材としての複数のプロットボール３と、支持部材としての複数の弾性糸４と、を備える。
【００１６】
まず、記録ボード１に配置する判定シート１０について説明する。
判定シート１０は、不良碍子検出器により測定した碍子連を構成する各碍子についての対地電圧値をプロットし、これをグラフ（折れ線グラフ）化するために使用するものである。このプロットは、後述するプロットボール３を移動することにより行われる。作業者は、このグラフのカーブ形状を見て、碍子の絶縁不良等を判定する。
【００１７】
判定シート１０には、横軸及び縦軸それぞれに対応して、所定の目盛りを有する罫線１１，１２が描かれている。判定シート１０の横軸に対応する（縦軸に沿って延びる）罫線１１には、碍子の個数に対応した番号（「碍子連番」ともいう）が設けられている。一方、判定シート１０の縦軸に対応する（横軸に沿って延びる）罫線１２には、対地電圧値が設けられている。
【００１８】
作業者は、判定シート１０に示される碍子連番それぞれの対地電圧値をプロット（プロットボール３を移動）して描かれるグラフのカーブ形状が、所定のカーブ形状を描くか否かにより、碍子の絶縁不良等の有無を判定する。
例えば、碍子連番６の碍子の対地電圧が、図１において破線で示す位置（図１における左から６番目のプロットボール３の位置）にある場合、図１における左から６番目のプロットボール３は、所定のカーブ形状（他のプロットボール３から構成されるカーブ形状）から著しく外れた位置にあると判断できる。そのため、碍子連番６の碍子は、絶縁不良又は誤測定と判定される。このようにして、碍子連を構成する碍子は、判定シート１０により絶縁不良等が判定される。
【００１９】
次に、記録ボード１について説明する。
ボード本体２は、その表面２ａに判定シート１０を配置可能な矩形板状に形成されている。
また、ボード本体２の表面２ａには、判定シート１０の一部を狭持可能な狭持部２１が設けられている。狭持部２１は、ボード本体２の長手方向における一方側に設けられており、判定シート１０の側縁近傍を狭持する。
【００２０】
プロットボール３は、球状に形成されており、同色の色彩に施された第１プロットボール３ａと、第１プロットボール３ａとは異なる色彩に施された第２プロットボール３ｂと、を備える。
また、複数の第１プロットボール３ａ及び第２プロットボール３ｂは、弾性糸４を挿通可能な挿通孔３１を有する。
【００２１】
複数の弾性糸４は、伸縮性を有する糸状に形成されている。例えば、複数の弾性糸４は、合成ゴム、天然ゴム等の弾性ゴムや伸縮性を有する合成樹脂により形成される。本実施形態においては、複数の弾性糸４は、糸状に形成された合成ゴムから形成される。
【００２２】
複数の弾性糸４は、ボード本体２の表面２ａの側に配置されており、判定シート１０の碍子連番を示す罫線１１と重なるように、所定の間隔で配置されている。
【００２３】
また、複数の弾性糸４は、複数のプロットボール３に形成された挿通孔３１を挿通した状態で、複数のプロットボール３を支持する。具体的には、複数の弾性糸４は、プロットボール３の挿通孔３１を挿通している。弾性糸４の上端部４１は、ボード本体２の短手方向における上縁に固定されている。弾性糸４の下端部４２は、ボード本体２の短手方向における下縁に固定されている。
【００２４】
これにより、プロットボール３は、弾性糸４の弾性力によってボード本体２の表面２ａの側に付勢された状態で、弾性糸４に支持されることになる。その結果、プロットボール３は、伸縮性を有する弾性糸４によって、弾性糸４の長手方向に沿って移動可能に支持されると共に、所定の位置で固定可能に支持されることになる。
【００２５】
プロットボール３は、１本の弾性糸４につき１個設けられる。複数のプロットボール３は、複数の弾性糸４の配列方向に所定個数毎に、色彩の異なるものが配置される。詳細には、複数の弾性糸４それぞれには、複数の弾性糸４の配列方向に、４個の第１プロットボール３ａと１個の第２プロットボール３ｂとが１サイクルとして繰り返し配置されるように、第１プロットボール３ａ及び第２プロットボール３ｂが挿通されている。
【００２６】
次に、本実施形態に係る記録ボード１の作用について説明する。
まず、作業者は、判定シート１０を記録ボード１に配置する。具体的には、ボード本体２の表面２ａと複数の弾性糸４との間に判定シート１０を差し込み、複数の弾性糸４と判定シート１０の罫線１１とを重ね合わせる。その後、作業者は、ボード本体２の狭持部２１で判定シート１０の側縁近傍を狭持する。これにより、判定シート１０は、記録ボード１に固定される。
【００２７】
次に、作業者は、不良碍子検出器により、碍子連を構成する碍子の対地電圧を測定する。碍子の対地電圧を測定すると、作業者は、測定された測定値に基づいて、判定シート１０の目盛りが示す位置に、第１プロットボール３ａ又は第２プロットボール３ｂを移動させる。
【００２８】
ここで、プロットボール３（第１プロットボール３ａ及び第２プロットボール３ｂ）は、弾性糸４の弾性力によってボード本体２の表面２ａの側に付勢された状態で弾性糸４に支持されている。つまり、プロットボール３は、弾性糸４の弾性力に反して移動可能に支持されると共に、弾性糸の弾性力により所定の位置で固定（移動不能）されるように支持されている。その結果、作業者により所定の位置に移動されたプロットボール３は、所定の位置で固定（停止）可能となる。
【００２９】
このようにして、碍子連を構成するすべての碍子それぞれに対して上述のプロットボール３の移動を行い、複数のプロットボール３により構成されるグラフを作成する。グラフが作成されると、作業者は、グラフが示すカーブ形状に基づいて、碍子の絶縁不良等を判定する。
【００３０】
なお、不良碍子検出器で測定された各碍子の測定数値は、適宜、不良碍子検出器に保存される。そのため、作業者は、碍子連を構成するすべての碍子の対地電圧を測定した後、不良碍子検出器に保存された測定数値に基づいてプロットボール３を移動させてグラフを作成し、このグラフにより判定してもよい。
【００３１】
以上のような構成を有する本実施形態に係る記録ボード１によれば、以下のような効果を奏する。
本実施形態に係る記録ボード１は、判定シート１０を配置可能なボード本体２と、ボード本体２に配置された判定シート１０に示される所定の位置に移動可能な複数のプロットボール３（第１プロットボール３ａ及び第２プロットボール３ｂ）と、ボード本体２に設けられ且つ複数のプロットボール３を移動可能に支持すると共に所定の位置で複数のプロットボール３を固定可能な弾性糸４と、を備える。
【００３２】
そのため、作業者は、測定された測定値に基づいて、判定シート１０の目盛りが示す位置に、第１プロットボール３ａ又は第２プロットボール３ｂを移動させることができ、複数のプロットボール３（第１プロットボール３ａ及び第２プロットボール３ｂ）により構成されるグラフを作成することができる。従って、グラフが示すカーブ形状に基づいて、複数の碍子の絶縁状態を容易に記録することができる。
特に、手袋を着用した作業者でも、手袋を着用したまま（手袋を外すことなく）、プロットボール３の移動させることが容易である。
【００３３】
プロットボール３から作成されるグラフは、大きく表示されるため、現場で離れた位置からもグラフのカーブ形状の良否判断が容易である。また、水や汚れに対しても、グラフのカーブ形状が維持されやすい（影響を受けにくい）。
プロットボール３によりグラフが作成されるため、グラフの作成に際し、筆記用具が不要となる。
現場でグラフを作成することができるため、現場ですぐに碍子の絶縁不良、誤測定等を容易に把握することができる。そのため、再度の測定を行う回数を減少でき、測定効率を向上することができる。従って、１日あたりの施工数を増加でき、全体として施工コストを低減することができる。
【００３４】
また、本実施形態に係る記録ボード１においては、複数の弾性糸４の配列方向に第１プロットボール３ａを４個配置する毎に、第１プロットボール３ａとは異なる色の第２プロットボール３ｂを１個配置している。そのため、例えば、不良碍子検出器による測定数値に基づいて対応するプロットボール３を移動させてグラフを作成した際に、何番目の碍子が絶縁不良であるかの確認が容易となる。
【００３５】
本実施形態に係る記録ボード１は、伸縮性を有する弾性糸４でプロットボール３をボード本体２の表面２ａの側に付勢した状態で支持している。これにより、プロットボール３は、弾性糸４に沿って移動可能になると共に、弾性糸４の弾性力で所定の位置で固定（停止）されやすくなる。
特に、強い風があったり、ボード本体２が傾斜した場合でも、プロットボール３がボード本体２の表面２ａを意図せず移動することを抑制することができる。
【００３６】
また、本実施形態に係る記録ボード１においては、プロットボール３を球状に形成している。そのため、プロットボール３をボード本体２の表面２ａにおいて容易に移動させることができる。これにより、例えば、作業者が手袋等をしている場合においても、プロットボール３を容易に移動させることができる。
【００３７】
また、本実施形態に係る記録ボード１においては、ボード本体２の表面２ａと複数の弾性糸４との間に判定シート１０を差し込んだり、抜いたりすることで、判定シート１０を交換することができる。そのため、判定シート１０の交換が容易である。
また、ボード本体２の表面２ａと複数の弾性糸４との間に判定シート１０が挟まれるため、判定シート１０を記録ボード１に容易に保持することができる。
【００３８】
以上、本発明の実施形態について説明したが、本発明は、上述した実施形態に限定されるものではない。また、本発明の実施形態に記載された効果は、本発明から生じる最も好適な効果を列挙したに過ぎず、本発明による効果は、本発明の実施形態に記載されたものに限定されない。
【００３９】
例えば、本実施形態においては、支持部材として弾性糸４を用いて説明したが、本発明においてはこれに限定されない。支持部材は、例えば、プロット部材をボード本体２の表面において移動自在に支持するレールや、プロット部材を先端に有する伸縮自在の伸縮棒等であってもよい。つまり、支持部材は、プロット部材を移動可能に支持すると共に、所定の位置で固定可能な構成であればよい。
プロット部材は、球状のプロットボール３に制限されず、例えば、６面体状でもよい。
【符号の説明】
【００４０】
１    記録ボード（記録装置）
２    ボード本体
３    プロットボール（プロット部材）
３ａ    第１プロットボール（プロット部材）
３ｂ    第２プロットボール（プロット部材）
４    弾性糸（支持部材）
１０    判定シート
２１    狭持部
３１    挿通孔
【図１】
2011151963.tif 000003